(57)【特許請求の範囲】
【請求項１】
イオン発生室内のイオン発生部で発生したイオンを外部に放出する為の流路が設定されたイオン発生装置において、
液状薬剤を揮散して湿度を保持する保持部と、
該保持部内の空気を前記流路に沿って流し外部に放出する送風手段と、
前記保持部を前記イオン発生室に接続する連通路と、
前記イオン発生室を前記送風手段より下流側に位置する前記流路の部位に接続する連通部と、
を設け、
前記保持部の空気を、前記送風手段で前記流路に沿って流す第一通流経路と、前記連通路、前記イオン発生室、及び前記連通部を介して前記流路に流す第二通流経路と分離して形成することで、前記第一通流経路から外れた位置に前記イオン発生部を配置し、該イオン発生部が設けられた前記イオン発生室を前記連通部を介して前記流路に連通する一方、
前記イオン発生部を構成する棒状の電極が、前記流路での空気の通流方向と交差する方向に延在するように配置したことを特徴とするイオン発生装置。
【請求項２】
前記連通部の開口方向と前記流路の延在方向とが直交するように構成したことを特徴とする請求項１記載のイオン発生装置。
【発明の詳細な説明】
【技術分野】
【０００１】
本発明は、イオンを発生して放出するイオン発生装置に関する。
【背景技術】
【０００２】
従来、空気の清浄や空気中の細菌等を分解する際には、イオン発生装置が用いられていた（例えば、特許文献１から特許文献４参照。）。
【０００３】
これらのイオン発生装置においては、空気が通流する流路が形成されており、当該流路内に、イオンを発生するイオン発生部が設けられている。
【０００４】
これにより、前記流路内において前記イオン発生部で発生させたイオンを、ファンなどの送風手段によって外部へ放出できるように構成されている。
【先行技術文献】
【特許文献】
【０００５】
【特許文献１】特開平８−０１９５９６公報
【特許文献２】特開２００８−１６１５６１公報
【特許文献３】特開２００８−０４７３２４公報
【特許文献４】特表２００８−５４３５６１公報
【発明の概要】
【発明が解決しようとする課題】
【０００６】
しかしながら、このような従来のイオン発生装置にあっては、放出されるイオン量が十分でないという問題があった。
【０００７】
本発明は、このような従来の課題に鑑みてなされたものであり、イオンの放出量を増大することができるイオン発生装置を提供することを目的とするものである。
【課題を解決するための手段】
【０００８】
前記課題を解決するために本発明の請求項１のイオン発生装置にあっては、イオン発生室内のイオン発生部で発生したイオンを外部に放出する為の流路が設定されたイオン発生装置において、液状薬剤を揮散して湿度を保持する保持部と、該保持部内の空気を前記流路に沿って流し外部に放出する送風手段と、前記保持部を前記イオン発生室に接続する連通路と、前記イオン発生室を前記送風手段より下流側に位置する前記流路の部位に接続する連通部と、を設け、前記保持部の空気を、前記送風手段で前記流路に沿って流す第一通流経路と、前記連通路、前記イオン発生室、及び前記連通部を介して前記流路に流す第二通流経路と分離して形成することで、前記第一通流経路から外れた位置に前記イオン発生部を配置し、該イオン発生部が設けられた前記イオン発生室を前記連通部を介して前記流路に連通する一方、前記イオン発生部を構成する棒状の電極が、前記流路での空気の通流方向と交差する方向に延在するように配置した。
【０００９】
すなわち、イオンを発生するイオン発生部は、流路を通流する空気の通流経路から外れた位置に配置されており、当該イオン発生部が設けられた空間は、前記流路に連通されている。
【００１０】
このため、前記イオン発生部より発生したイオンは、当該イオン発生部が設けられた空間内の空気を十分にイオン化し、そのイオン化された空気は、前記流路に連通した連通部を介して前記流路より外部へ放出される。
【００１２】
また、前記流路内の空気は、送風手段によって流れが形成され、外部に放出される。このとき、前記送風手段による風は、前記流路に沿って流れるように構成されている。
【００１３】
このため、前記イオン発生部を有する空間内に充満したイオン化空気は、前記流路への連通部に生ずる負圧によって前記流路に吸い出され外部に放出される。
【００１４】
なお、イオンを流路に放出するのは、この負圧だけではなく、イオン発生部でイオンが発生する際に生じるイオン風によっても当該イオンは前記流路に放出される。
【００１６】
さらに、前記イオン発生部を構成する棒状の電極は、前記流路での空気の通流方向と交差する方向に延在するように構成されており、前記連通部より前記流路へ向けて流出される空気は、前記電極に沿って流れることとなる。
【００１７】
これにより、前記空気と前記電極との接触時間を長くすることができるので、イオン化が促進される。
【００１９】
加えて、前記イオン発生部に連通した連通部より上流側には、液状薬剤を揮散して湿度を保持する保持部が設けられており、前記イオン発生空間での湿度は、所定値以上に保たれる。
【００２０】
これにより、前記イオン発生部によるイオン発生効果は、低湿度の場合と比較して促進される。
【００２２】
また、前記保持部は、連通路を介して前記イオン発生部に連通されている。
【００２３】
これにより、前記イオン発生室内の湿度は確実に所定以上に保持され、前記連通路と前記流路との間での空気の流れができるため、効率良くイオンが流路に放出される。
また、本発明の請求項２のイオン発生装置においては、前記連通部の開口方向と前記流路の延在方向とが直交するように構成した。
【発明の効果】
【００２４】
以上説明したように本発明の請求項１のイオン発生装置にあっては、イオン発生部で発生したイオンによって、その外周部の空気を十分にイオン化した後、連通部を介して流路より外部へ放出することができる。
【００２５】
したがって、空気が通流する流路内にイオン発生部が設けられた構造上、イオン発生部で発生したイオンが周囲の空気を十分にイオン化する前に放出されてしまう従来と比較して、前記イオン発生部で発生したイオンによりその外周部の空気をイオン化することができる。また、このイオン化された空気が、さらにその外周部の空気をイオン化する連鎖反応によって、発生するイオン量を増大することができる。これにより、放出されるイオン量を飛躍的に増加することができる。
【００２６】
また、前記イオン発生部が設けられた空間内に充満したイオン化空気を、前記流路への連通部に生ずる負圧によって前記流路に吸い出して外部に放出することができる。
【００２７】
これにより、イオン化された空気の増大と、効率的な放出とを両立することができる。
【００２８】
さらに、前記イオン発生部を構成する棒状の電極は、前記流路での空気の通流方向と交差する方向に延在するように配置されており、前記連通部より前記流路へ向けて流出される空気を、前記電極に沿って流すことができる。
【００２９】
これにより、前記空気と前記電極との接触時間を長くすることができるので、前記流路へ向けて流出される空気が前記電極に対して交差方向に流れる場合と比較して、通流空気のイオン化の促進を図ることができる。
【００３０】
加えて、前記イオン発生空間に連通した連通部より上流側に、液状薬剤を揮散して湿度を保持する保持部を設けることによって、前記イオン発生空間での湿度を、所定値以上に保持することができる。
【００３１】
このため、乾燥した空間でイオン化を行う場合と比較して、前記イオン発生部によるイオン発生効果を高めることができる。
【００３２】
このとき、前記液状薬剤として芳香剤を用いることによって、イオン化された空気に芳香成分を混合して放出することができ、利便性が向上する。
【００３３】
また、前記連通路を介して前記保持部を前記イオン発生部に連通することにより、前記イオン発生室内の湿度を確実に所定以上に保持することができる。
【００３４】
これにより、前記連通路と前記流路との間での空気の流れを形成することができ、効率良くイオンを流路に放出することができる。
【図面の簡単な説明】
【００３５】
【図１】本発明の一実施の形態を示す斜視図である。
【図２】同実施の形態の縦断面図である。
【図３】同実施の形態の要部を示す断面図である。
【図４】同実施の形態の動作を他の構造と比較した説明図である。
【発明を実施するための形態】
【００３６】
以下、本発明の一実施の形態を図に従って説明する。
【００３７】
図１は、本実施の形態にかかるイオン発生装置１を示す図であり、該イオン発生装置１は、発生させたマイナスイオンを芳香剤と共に放出する装置である。
【００３８】
このイオン発生装置１は、円筒形状のケーシング１１を備えており、該ケーシング１１は、先端部が前方へ向けて屈曲した形状に形成されている。
【００３９】
このケーシング１１は、前側を構成する前ケース２１と、後側を構成する後ケース２２とによって筒状に形成されており、その天部は、円形の上ケース２３によって閉鎖されている。該上ケース２３の中央部は、円形に没入しており、この没入部２４には、円形の電源ボタン２５が押下可能に設けられている。
【００４０】
この電源ボタン２５の上側に位置する縁部には、ダクト３１が開設されており、該ダクト３１内には、格子３２が設けられている。これにより、このダクト３１を介して前記マイナスイオンを前記芳香剤と共に外部へ放出できるように構成されている。
【００４１】
前記ケーシング１１の底部は、図２に示すように、下ケース４１が設けられており、該下ケース４１の図２中右側には、電源供給用の電源ジャック４２を備えたメイン基板４３が設けられている。この下ケース４１の中央部には、内側に大きく後退した薬剤収容部４４が形成されており、該薬剤収容部４４は、カートリッジタイプの芳香剤４５を装着できるように形成されている。この薬剤収容部４４には、前記芳香剤４５の胴部４６が収容される大径部４７が下部側に形成されており、該大径部４７の上部には、前記芳香剤４５の首部４８が収容される小径部４９が連続形成されている。
【００４２】
この下ケース４１の前記小径部４９には、ダクト構成部材５１の外嵌部５２が外嵌した状態で固定されており、前記外嵌部５２の天面５３ａからは、装着された芳香剤４５より延出した吸上芯５３が挿通する円筒状の挿通部５４が形成されている。
【００４３】
該挿通部５４の上部には、当該挿通部５４より広い空間が形成されており、この空間によって前記吸上芯５３より吸い上げた前記芳香剤４５内の液状水性薬剤６１を揮散して湿度を所定値以上に保持する保持部６２が形成されている。
【００４４】
この保持部６２を形成する壁面６３には、横長長方形状の取込穴６４が形成されており、該取込穴６４から当該保持部６２内に外部の空気を取り込めるように構成されている。
【００４５】
この保持部６２の上部には、矩形状の空間が形成されており、この矩形空間７１には、送風手段としてのファン７２が内嵌された状態で固定されている。前記矩形空間７１の天部を構成する天板７３は、図２中右側の部位が山形に形成されるとともに、その頂点部に矩形穴７４が開設されており、該矩形穴７４は、角筒部７５を介して前記ダクト３１に連結されている。
【００４６】
これにより、前記ファン７２で形成された風が、前記角筒部７５及び前記ダクト３１によって形成された流路８１に沿って流れるように構成されており、前記取込穴６４から前記保持部６２に取り込まれた空気を前記流路８１を介して前記ダクト３１より外部へ放出できるように構成されている。
【００４７】
前記天板７３の図２中左側には、その上部に矩形状のイオン発生室９１が形成されており、該イオン発生室９１は、その底面が前記天板７３で構成されるとともに、一側面が前記角筒部７５の壁面９２で構成されている。また、前記イオン発生室９１は、図３にも示すように、前記天板７３に立設された一対の起立板９３，９３と両起立板９３，９３の上端を連設する連設板９４とによって包囲されている。このイオン発生室９１内には、図２にも示したように、マイナスイオンを発生するイオン発生部９５が設けられており、該イオン発生部９５は、前記流路８１を通流する空気の通流経路９６から外れた位置に配置されている。
【００４８】
このイオン発生部９５は、図３にも示したように、長方形板状に形成された本体基板１０１を備えており、該本体基板１０１は、前記イオン発生室９１の内側面より延出した複数の支柱１０２，・・・によって支持されている。前記本体基板１０１には、Ｕ字状の切欠部１０３が中央部に形成されており、該切欠部１０３内には、前記本体基板１０１より延出した針状の電極１０４が延設されている。
【００４９】
これにより、図２に示したように、前記電源ボタン２５を押下して前記メイン基板４３からの電源を前記ダクト構成部材５１に支持された昇圧基板１１１に供給するとともに、該昇圧基板１１１で昇圧した高圧電源を前記電極１０４と前記本体基板１０１上に形成された電極間に印加することで、空気に含まれた湿気を利用してマイナスイオンを発生できるように構成されている。
【００５０】
このイオン発生部９５を収容した前記イオン発生室９１は、前記電極１０４の先端側に位置する壁面、すなわち前記角筒部７５の壁面９２に開口部が開設されており、該開口部は、当該イオン発生室９１と前記流路８１とを連通する連通部１２１を構成している。
【００５１】
これにより、前記イオン発生部９５が設けられた前記イオン発生室９１は、前記連通部１２１を介して前記流路８１に連通しており、前記イオン発生部９５より発生したマイナスイオンを、前記連通部１２１及び前記流路８１を介して外部に放出できるように構成されている。
【００５２】
このとき、前記イオン発生室９１に連通した前記連通部１２１は、前記保持部６２より下流側に設けられており、該保持部６２によって湿度が所定値以上に保たれた空気を前記イオン発生室９１内へ流入できるように構成されている。
【００５３】
前記イオン発生部９５を構成する針状の前記電極１０４は、前記流路８１での空気の通流方向と交差する方向に延在するように当該イオン発生部９５が配置されており、当該イオン発生室９１から前記連通部１２１へ向けて流れる空気が前記電極１０４に沿って流れるように構成されている。
【００５４】
そして、前記ファン７２が設けられた前記矩形空間７１の図２中左側部には、前記保持部６２と前記イオン発生室９１とを直接接続する連通路１３１が形成されており、湿度が所定値以上に保たれた前記保持部６２内の空気が前記連通路１３１を介して、前記イオン発生部９５が設けられた前記イオン発生室９１へ直接供給されるように構成されている。
【００５５】
以上の構成にかかる本実施の形態において、マイナスイオンを発生するイオン発生部９５は、流路８１を通流する空気の通流経路９６から外れた位置に配置されており、当該イオン発生部９５が設けられた空間を構成する前記イオン発生室９１は、連通部１２１を介して前記流路８１に連通されている。
【００５６】
このため、前記イオン発生部９５より発生したマイナスイオンは、当該イオン発生部９５が設けられた前記イオン発生室９１内の空気を十分にイオン化した後、そのイオン化された空気を、前記連通部１２１を介して前記流路８１より外部へ放出することができる。
【００５７】
したがって、図４中矢印Ａで示すように、空気が通流する流路８１内にイオン発生部９５が設けられた構造上、イオン発生部９５で発生したマイナスイオンが周囲の空気を十分にイオン化する前に放出されてしまう従来と比較して、図４中矢印Ｂで示したように、前記イオン発生部９５で発生したマイナスイオンにより、当該イオン発生室９１内において、その外周部の空気をイオン化することができる。また、このイオン化された空気が、さらにその外周部の空気をイオン化する連鎖反応によって、発生するイオン量を増大することができる。これにより、放出されるイオン量を飛躍的に増加することができる。
【００５８】
このとき、前記流路８１内の空気は、送風手段を構成するファン７２によって流れが形成されており、前記ファン７２による風は、前記流路８１に沿って流れるように構成されている。
【００５９】
このため、前記イオン発生部９５を有するイオン発生室９１内に充満したイオン化空気を、前記流路８１に連通した前記連通部１２１に生ずる負圧によって前記流路８１に吸い出して外部に放出することができる。
【００６０】
このとき、前記保持部６２は、前記連通路１３１を介して前記イオン発生室９５に連通されており、該イオン発生室９５内の湿度を確実に所定以上に保持することができる。
【００６１】
これにより、前記連通路１３１と前記流路８１との間での空気の流れを形成することができ、効率良くマイナスイオンを前記流路８１に放出することができる。
【００６２】
これにより、イオン化された空気の増大と、効率的な放出とを両立することができる。
【００６３】
また、前記イオン発生部９５を有する前記イオン発生室９１に連通した前記連通部１２１より上流側に、芳香剤等の液状水性薬剤６１を揮散して湿度を保持する保持部６２を設けることによって、下流に配置された前記イオン発生室９１内での湿度を、所定値以上に保持することができる。
【００６４】
このため、乾燥した空間でイオン化を行う場合と比較して、前記イオン発生部９５によるイオン発生効果を高めることができる。
【００６５】
このとき、前記液状水性薬剤６１として芳香剤４５を用いることによって、イオン化された空気に芳香成分を混合して放出することができ、利便性が向上する。
【００６６】
そして、前記イオン発生部９５を構成する針状の電極１０４は、前記流路８１での空気の通流方向と交差する方向に延在するように配置されており、前記連通部１２１より前記流路８１へ向けて流出される空気を、前記電極１０４に沿って流すことができる。
【００６７】
これにより、前記空気と前記電極１０４との接触時間を長くすることができるので、図４の矢印Ａで示したように、前記流路８１へ向けて流出される空気が前記電極１０４に対して交差方向に流れる場合と比較して、通流空気のイオン化の促進を図ることができる。
【００６８】
このとき、前記イオン発生部９５を構成する針状の電極１０４の先端側には、前記流路８１に連通した前記連通部１２１が設けられている。このため、前記イオン発生部９５で発生したマイナスイオンは、その発生時に生ずるイオン風によっても、前記連通部１２１を介して前記流路８１に放出される。
【符号の説明】
【００６９】
１    イオン発生装置
６１    液状水性薬剤
６２    保持部
７２    ファン
８１    流路
９５    イオン発生部
９６    通流経路
１０４    電極
１３１    連通路
【図１】
0005415920.tif 000002
【図２】
0005415920.tif 000003
【図３】
0005415920.tif 000004
【図４】
0005415920.tif 000005